(57)【要約】      （修正有）【課題】携帯用電子機器の出入れが行い易く、携帯用電子機器を収納してもブラブラしたりせず、携帯用電子機器の重さもしっかり支えられ、収納した携帯用電子機器の落下を防止でき、携帯用電子機器のディスプレイを拭えるようなズボンの脇ポケットを提供する。【解決手段】脇ポケットが略同形状の３枚の重なり合った袋布（内側布、仕切り布、外側布）からなり、内側布が拭い布を有し、仕切り布は向う布４３等の箇所にファスナー４４を有し、内側布と前記仕切り布とが重ね合わされた状態でファスナーの両端の近傍から略コ字形状の開ループを描くステッチを設けて、携帯用電子機器収納用ポケットを区画する。また、３枚の袋布は重ね合わされた状態で下縁が互いに縫合され、その上縁がウエスト部１３に縫着され、その左右の縁はそれぞれズボンの前開き部および脇線の箇所１５に縫着する。【選択図】図７
0003167534.tif 000002
【実用新案登録請求の範囲】
【請求項１】
ズボンの脇ポケットであって、該脇ポケットが２つの収納室を有する二重ポケットにおいて、該脇ポケットが略同形状の３枚の袋布からなり、該３枚の袋布は重なり合っており、ズボンの表生地に一番近く位置する外側布と、一番内側に位置する内側布と、両者の間に位置する仕切り布からなり、
前記内側布は内側布本体とそれに縫着された起毛素材からなる拭い布とからなり、
前記仕切り布は仕切り布本体とズボンの表生地と同じ生地からなる向う布とからなり、該向う布は前記仕切り布本体に縫着される第１部分と該第１部分に連結される第２部分とからなり、前記第１部分と前記第２部分との間にファスナーが設けられ、前記第１部分と前記第２部分とが該ファスナーにより開閉可能に接続されており、
前記内側布と前記仕切り布とが重ね合わされた状態で前記ファスナーの両端の近傍から略コ字形状の開ループを描くステッチが形成されており、前記ファスナーおよび該ステッチにより、携帯用電子機器収納用ポケットが区画され形成されており、
前記３枚の袋布は重ね合わされた状態で下縁が互いに縫合され、その上縁がウエスト部に縫着され、その左右の縁はそれぞれズボンの前開き部および脇線の箇所に縫着されていることを特徴とするズボン。
【請求項２】
前記外側布の左右の縁のうち、ズボンの脇線の箇所に縫着される側の縁は、ズボンの前身頃の表生地とともに三角形に折返されて該前身頃の表生地に縫着されて、ポケット口を形成していることを特徴とする請求項１記載のズボン。
【請求項３】
前記向う布に設けられたファスナーがコンシール・ファスナーであり、該ファスナーは前身頃の表生地により外側から隠されていることを特徴とする請求項１または請求項２に記載のズボン。
【考案の詳細な説明】
【技術分野】
【０００１】
本考案はズボンに関し、特に、２つの収納室を有する脇ポケットを具備したズボンに関するものである。
【背景技術】
【０００２】
最近では、携帯電話、スマートフォン、ＰＤＡ（携帯情報端末）、小型カメラ等の携帯用電子機器を殆どの人が持ち歩いている。携帯用電子機器を鞄やハンドバックに入れておくと、使用する際にはいちいち鞄やハンドバックから取り出さなければならず、面倒であり、特に携帯電話の場合は呼出し音が聞き取り難いという問題があり、マナーモードにしている場合は呼出しの振動に気づくことができない。
【０００３】
このような理由のためか、携帯用電子機器を胸ポケットやズボンのポケットにそのまま入れている人が多い。
【０００４】
しかし、胸ポケットに入れていると、前屈みの動作をした場合に携帯用電子機器が胸ポケットから滑り落ちる危険が大きい。また、ズボンの腰ポケットはポケットとして物を収納するゆとりが余りないので、そこに携帯用電子機器を入れると、しゃがんだり腰を下ろした際に携帯用電子機器がポケットから飛び出してしまったりすることが多々ある。ズボンの脇ポケットは物を収納するゆとりは大きいが、そこには財布、ハンカチ、定期入れ等いろいろ入れておくことが多く、それらと一緒に携帯用電子機器を入れておくと、他の物をポケットから取り出す際に携帯用電子機器も一緒に引き出されて、落としてしまうことがある。携帯用電子機器は落下などの衝撃に弱く、破損してしまうことがある。
【０００５】
このような対策として、例えば、実用新案登録第３０５５１３１号公報（特許文献１）には、ズボンの脇ポケットの内袋布地に幅７〜１０ｃｍ、高さ１２〜１４ｃｍの長方形の布地を縫い付けて、携帯電話用ポケットとすることが提案されている。
【０００６】
また、実用新案登録第３０６４３６０号公報（特許文献２）には、脇ポケットの裏側に長方形の布地を縫着して、そこを携帯電話用ポケットとし、脇線の箇所に携帯電話用ポケットのポケット口を形成し、このポケット口にファスナーを取付けることが提案されている。
【先行技術文献】
【特許文献】
【０００７】
【特許文献１】実用新案登録第３０５５１３１号公報
【特許文献２】実用新案登録第３０６４３６０号公報
【考案の概要】
【考案が解決しようとする課題】
【０００８】
前記特許文献１のように脇ポケット内に携帯電話用ポケットを設けたものでは、手探りでの携帯電話をポケットに収納したり取出したりすることになるが、携帯電話用ポケットが垂直方向に向いており、ポケット口も上向きであるため、携帯電話の出入れが非常に行い難いという問題がある。
【０００９】
また、特許文献１の図１に示されるように、通常、脇ポケットはその上縁がウエスト部に縫着され、右脇線の箇所でポケット口より僅かに下方の部分までが表生地に縫着されているだけで、基本的には脇ポケットの袋布はブラブラした状態である。携帯用電子機器は軽量になったとはいえ、かなりの重量および嵩があるため、携帯電話用ポケットに携帯電話を入れると、ブラブラして安定性が悪く、脇ポケットの袋布の縫着部分に大きな荷重が掛ることになる。
【００１０】
前記特許文献２のように、脇線の箇所にポケット口を設けると、このポケット口が脇ポケットの斜めのポケット口よりも後の位置で垂直方向に開口しているため、そこからは携帯電話物を入れ難いという問題がある。また、脇線の箇所にファスナーが設けられ、外観からファスナーが見えるので、通常のズボンと異なったデザインとなり、男性では抵抗感を覚える人もある（最近では少なくなっているが、婦人用ズボンで脇線の箇所が開くものがある）。また、脇線のポケット口にファスナーを取付けない場合は、ポケット口が開いてしまうので、見栄えが悪くなるという問題が生じる。
【００１１】
本考案はこのような従来の問題を解決し、脇ポケットにおいて、通常の脇ポケットとは別に携帯用電子機器を収納するためのポケットを用意し、携帯用電子機器の出入れが行い易く、携帯用電子機器を収納してもブラブラしたりせず、携帯用電子機器の重さもしっかり支えられ、収納した携帯用電子機器の落下を防止できるようなズボンの脇ポケットを提供することを目的とする。また、収納した携帯用電子機器のディスプレイ（画面）が外側にある場合には、簡単にディスプレイを拭えるようなポケットを提供することも目的とする。更に、本考案は携帯用電子機器用ポケットを設けても、外観は従来の脇ポケットと同様に見えるようなズボンの脇ポケットを提供することを目的とする。
【課題を解決するための手段】
【００１２】
本考案によれば、ズボンの脇ポケットであって、該脇ポケットが２つの収納室を有する二重ポケットにおいて、該脇ポケットが略同形状の３枚の袋布からなり、該３枚の袋布は重なり合っており、ズボンの表生地に一番近く位置する外側布と、一番内側に位置する内側布と、両者の間に位置する仕切り布からなり、
前記内側布は内側布本体とそれに縫着された起毛素材からなる拭い布とからなり、
前記仕切り布は仕切り布本体とズボンの表生地と同じ生地からなる向う布とからなり、該向う布は前記仕切り布本体に縫着される第１部分と該第１部分に連結される第２部分とからなり、前記第１部分と前記第２部分との間にファスナーが設けられ、前記第１部分と前記第２部分とが該ファスナーにより開閉可能に接続されており、
前記内側布と前記仕切り布とが重ね合わされた状態で前記ファスナーの両端の近傍から略コ字形状の開ループを描くステッチが形成されており、前記ファスナーおよび該ステッチにより、携帯用電子機器収納用ポケットが区画され形成されており、
前記３枚の袋布は重ね合わされた状態で下縁が互いに縫合され、その上縁がウエストベルトに縫着され、その左右の縁はそれぞれズボンの前開き部および脇線の箇所に縫着されていることを特徴とするズボンにより前記目的を達成する。
【００１３】
前記外側布の左右の縁のうち、ズボンの脇線の箇所に縫着される側の縁は、ズボンの前身頃の表生地とともに三角形に折返されて該前身頃の表生地に縫着されて、ポケット口を形成している。
【００１４】
また、本考案によれば、前記向う布に設けられたファスナーがコンシール・ファスナーであり、該ファスナーは前身頃の表生地により外側から隠されていることが好ましい。
【考案の効果】
【００１５】
本考案によれば、脇ポケットが略同形状の３枚の重なり合った袋布で構成して、２つの収納室を有する二重ポケットとして、通常の脇ポケットとは別に携帯用電子機器を収納するためのポケットが脇ポケットの位置に用意されているので、通常の脇ポケットに収納されている物と混同せず、携帯用電子機器の出入れが行い易い。
【００１６】
また、本考案によれば、３枚の重なり合った袋布は上縁がウエストベルトに縫着され、その左右の縁はそれぞれズボンの前開き部および脇線の縫い代に縫着されているので、従来のポケットのようにブラブラしたりせずに、携帯用電子機器を収納してもその重さをしっかり支えることができる。
【００１７】
携帯用電子機器収納用ポケットはそのポケット口にファスナーを設けているので、ファスナーを閉じておけば、収納した携帯用電子機器が不用意に外に飛び出したりすることがない。
【００１８】
また、このファスナーは前身頃の表生地により外側から隠される位置に設けられているので、本考案のズボンの外観は通常のズボンと同じデザインに見える。特に、このファスナーをコンシール・ファスナーとすると、ファスナーが目立たない。
【００１９】
本考案においては、携帯用電子機器収納用ポケットは袋布の全面を収納箇所としているのではなく、ファスナーの両端の近傍から略コ字形状の開ループを描くステッチにより、携帯用電子機器収納用ポケットが区画され形成されているので、ポケット内で携帯用電子機器があちらこちらに移動したりせず、歩いたり腰掛けたりした際に邪魔になるような位置に移動しない。
【００２０】
本考案によれば、携帯用電子機器収納用ポケット内の片面が起毛素材からなる拭い布からなるので、携帯用電子機器のディスプレイ面を簡単に拭うことができる。
【図面の簡単な説明】
【００２１】
【図１】本考案のズボンの袋布のうち、内側布の構成を示す平面図である。
【図２】本考案のズボンの袋布のうち、仕切り布の構成を示す平面図である。（ａ）〜（ｃ）は縫製手順の順番にその構成を示している。
【図３】内側布と仕切り布とにステッチを掛けた状態を示す平面図である。
【図４】本考案のズボンの袋布のうち、外側布を示す平面図である。
【図５】本考案のズボンの右前身頃の上部を裏側から見た平面図である。
【図６】図５に示した脇ポケットに携帯用電子機器を収納した状態を、楕円で囲った内側布の部分を破断して示した平面図である。
【図７】図５に示したズボンを表側から見た平面図であり、楕円で囲った表生地および外側布の部分を破断して示している。
【考案を実施するための形態】
【００２２】
以下、図面に示した実施例に基いて本考案を詳細に説明する。本考案のズボン１０は脇ポケット２０に特徴を有するものである。本考案における、脇ポケット２０は３枚の重なり合った袋布３、４、５で構成した、２つの収納室を有する二重ポケットである。
【００２３】
３枚の袋布３、４、５はズボン１０の表生地に一番近く位置する外側布５と、一番内側に位置する内側布３と、両者の間に位置する仕切り布４である。これら３枚の袋布３、４、５は図１、２および図４に示すように、実質的に同じ形状をしており、これらの図では縫い代を設けた状態で図示されている。
【００２４】
図１には内側布３が示され、内側布３は図１（ａ）に示すように、内側布本体３１とそれに縫着された起毛素材からなる拭い布３２とからなる。内側布本体３１は例えばスレーキ（スレキ）などの裏地用生地を用いる。拭い布３２は短い繊維が起毛している、眼鏡拭き等に使用される素材を使用すればよい。拭い布３２は一辺が裁ち切り状態であるので、その一辺はほつれ止めにオーバーロックミシンを掛けて縁縢り３２ａおく。残りの３辺は縫い代が設けられている。図１（ｂ）に示すように、内側布本体３１の上に起毛面を外側にして拭い布３２を重ね、縁縢り３２ａの脇にミシンを掛けて縫着する。これが内側布３となる。
【００２５】
図２（ａ）および（ｂ）に示すように、仕切り布４は仕切り布本体４１とズボンの表生地と同じ生地からなる向う布とからなる。仕切り布本体４１はスレーキ等の裏地用生地とする。向う布は仕切り布本体４１に縫着される第１部分４２とこの第１部分４２に連結される第２部分４３とからなる。第１部分４２の一辺はオーバーロックミシンを掛けて縁縢り４２ａをしてから、図２（ｂ）に示すように、仕切り布本体４１の上に第１部分４２を重ねて、縁縢り４２ａの脇にミシンを掛けて縫着する。この縫い合わせたもの４１、４２に向う布の第２部分４３とを突き合わせて、コンシール・ファスナー４４を取付ける。コンシール・ファスナー４５のファスナー止り４５より外側における向う布の第１部分４２と第２部分４３とは縫い合わされている。
【００２６】
次ぎに、このようにして形成した仕切り布４を図１（ｂ）に示した内側布３の上に重ね合わせて置いて、図３に示すように、ファスナー４４の両端４５の近傍から略コ字形状の開ループ（すなわち、コ字の一辺が間長くなっており、カーブしている）を描くステッチ４６を掛ける。このステッチ４６により略コ字形状開ループの内側と外側とに区分けされる。略コ字形状開ループの内側における内側布３と仕切り布４とにより携帯用電子機器収納用ポケットが形成される。携帯用電子機器収納用ポケットのポケット口はファスナー４４の箇所であり、ファスナー４４によりポケット口を開閉できる。ポケット口から内側布３と仕切り布４の間に入れた品物は、ステッチ４６があるので、略コ字形状開ループの外側には移動しない。
【００２７】
図４に示すように、裁断した状態の外側布５の輪郭は実線および点線で示したものであり、斜め線５３が脇ポケットのポケット口２１になる箇所で、点線で囲った三角形の部分５２は折返される部分である。
【００２８】
図３に示すような携帯用電子機器収納用ポケットが形成されて、重なり合った内側布３と仕切り布４に、外側布５を重ね合わせて、それら３、４、５の下縁３ａ、４ａ、５ａを縫い合わせて、ポケットの底部を形成する。この場合、内側布３の上に外側布５を重ねてミシンを掛ける。その後、外側布５が仕切り布４の上になるようにひっくり返して、底部の縁にミシンを掛けると、裁断した縁が隠れるので綺麗に仕上がる。
【００２９】
外側布５の上に前身頃（図示した紳士用ズボンでは右前身頃）１１の生地を重ねて、斜め線５３の箇所で重ね合わせた身頃生地１１および外側布５を折返して、ミシンを掛けて、脇ポケット２０のポケット口２１（図７参照）を形成する。ポケット口２１となる箇所の上端および下端において、身頃生地１１および外側布５を図３に示した布（すなわち、向う布の第２部分４３、拭い布３２および内側布３１）に止め付ける（止め付け箇所を図７で符号１６を付した）。止め付けた状態において、図７に示すように、ファスナー４４はポケット口２１よりも奥に位置しており、前身頃生地１１で覆い隠される。
【００３０】
このように重ね合わせた状態で、袋布のポケット口２１に近い側縁の縫い代３ｂ、４ｂ、５ｂおよび前身頃１１の側縁の縫い代１１ｂと、後身頃１２の側縁の縫い代１２ｂとを縫い合わせる。縫い合わせた箇所が脇線１５となる。
【００３１】
袋布の反対側の側縁３ｃ、４ｃ、５ｃはズボンの前開き部において、天狗部１４、前ファスナー１７とともに前身頃生地１１に縫着される。
【００３２】
袋布の上縁３ｄ、４ｄ、５ｄはズボンのウエスト部１３に縫着される。
【００３３】
このようにして、上縁がウエスト部１３に縫着され、左右の縁がそれぞれズボンの前開き部および脇線の縫い代に縫着された脇ポケット２０が出来上がる。
【００３４】
図６および図７に脇ポケットに携帯用電子機器を収納した状態を、楕円で囲った部分を破断して示している。図７に示すように、携帯用電子機器用ポケットのファスナー４４を開けて、脇ポケットのポケット口２１から携帯用電子機器用ポケットに入れと、図６に示すように、携帯用電子機器用ポケットに納まる。
【００３５】
なお、ズボンのその他の部分の縫製については従来どおり行えばよい。
【符号の説明】
【００３６】
１１  前身頃
１２  後身頃
１３  ウエスト部
１４  天狗部
１５  脇線
３  内側布
３１  内側布本体
３２  拭い布
４  仕切り布
４１  仕切り布本体
４２  向う布の第１部分
４３  向う布の第２部分
４６  ステッチ
５  外側布
２０  脇ポケット
【図１】
0003167534.tif 000003
【図２】
0003167534.tif 000004
【図３】
0003167534.tif 000005
【図４】
0003167534.tif 000006
【図５】
0003167534.tif 000007
【図６】
0003167534.tif 000008
【図７】
0003167534.tif 000009